(57)【要約】【課題】  操作ボタンを押す位置にかかわらず、軽快なクリック感を得ることのできる操作器を提供する。【解決手段】  上ケース３に一端部が薄肉ヒンジ１２により連結され、他端部側に操作ボタン１３が形成されたスイッチ作動体１０と、スイッチ作動体が、操作ボタンの上面が押圧され一端部側を支点に回動することにより、操作ボタンの裏側に設けた操作部１５により開閉されるスイッチ８を具えた操作器１で、操作ボタンの上面は、前記一端部側１６を他端部側に比べて高くなるように形成する。【効果】  操作ボタン上面の高さの高くなった一端部側１６に自然と指が触れてそこを押圧することになるので、操作部１５がスイッチ８を押すときの角度を水平に近づけることができ、軽快なクリック感を得ることができる。【選択図】    図４
2006221826.tif 000002
【特許請求の範囲】
【請求項１】
支持プレートに一端部が連結され、他端部側に操作ボタンが形成されたスイッチ作動体と、スイッチ作動体が、操作ボタンの上面が押圧されて前記一端部を支点に回動することにより、操作ボタンの裏側に設けた操作部により開閉されるスイッチを具えた操作器において、前記操作ボタンの上面は、前記一端部側を他端部側に比べて高くなるように形成してなる操作器。
【請求項２】
前記スイッチ作動体は、支持プレートに一体に形成されている請求項１に記載の操作器
【請求項３】
前記スイッチ作動体の一端部側は、薄肉ヒンジとなっている請求項２に記載の操作器
【発明の詳細な説明】
【技術分野】
【０００１】
本発明は、操作ボタンを押圧して内蔵したスイッチを開閉する操作器に関する。
【背景技術】
【０００２】
従来、マッサージ機等の各種電気製品を操作するために、操作器が用いられる。特許文献１に示すように、操作器は、操作ボタンを押圧することにより、内蔵したスイッチを開閉するもので、一般的には、支持プレートに一端部が連結されたスイッチ作動体の他端部側に操作ボタンは形成され、操作ボタンの上面を押圧することによりスイッチ作動体が一端部を支点に回動して、操作ボタンの裏側に設けた操作部によりスイッチを開閉するものである。
【特許文献１】特開平１０−２７５５３６号公報
【発明の開示】
【発明が解決しようとする課題】
【０００３】
図５に従来の操作器の操作ボタン１３を示す。操作ボタン１３は、支持プレート３に一端部が薄肉ヒンジ１２となって連結されたスイッチ作動体１０の他端部側に形成されているが、その上面の高さは、図５に示すように一端部側と他端部側とで同じ高さになっている。このため、操作ボタン１３上を指Fで押圧すると、スイッチ作動体１０は一端部を支点として回動する。そして、操作ボタン１３の裏側に形成した操作部１５により、スイッチ８の上面（詳しくはスイッチ８の作動凸部１４）を押してスイッチ８を開閉させるが、図６に示すように、操作部１５は作動凸部１５の上面を水平に押さずに斜めに押す。その結果、スイッチ８を操作するときのカチッという軽快なクリック感を得ることができなかった。
【０００４】
なお、図５と図６は従来例であるが、便宜上後述の本発明の実施例と同じ部分は同じ符号を付している。
【０００５】
操作ボタン１３の一端部側（薄肉ヒンジ側）の上面を押すようにすれば、操作部１５の回転を抑えて操作部１５がスイッチの作動凸部１４を押すときの角度を水平に近づけ、軽快なクリック感を得ることができなくもないが、使用するときにそのような注意を払うことは一般には無理で、クリック感の乏しい操作器となっていた。
【０００６】
本発明の目的は、操作ボタンを押す位置にかかわらず、軽快なクリック感を得ることのできる操作器を提供することである。
【課題を解決するための手段】
【０００７】
上記課題を解決するために本発明の操作器は、支持プレートに一端部が連結され、他端部側に操作ボタンが形成されたスイッチ作動体と、スイッチ作動体が、操作ボタンの上面が押圧されて前記一端部を支点に回動することにより、操作ボタンの裏側に設けた操作部により開閉されるスイッチを具えた操作器において、操作ボタンの上面は、前記一端部側を他端部側に比べて高くなるように形成したものである。一例として、スイッチ作動体の一端部は、薄肉ヒンジとなって、支持プレートと一体になっている。
【発明の効果】
【０００８】
本発明の操作器によれば、操作ボタンを指で押圧する場合、操作ボタン上面の高さの高くなった一端部側に自然と指が触れてそこを押圧することになるので、操作部がスイッチを押すときの角度を水平に近づけることができ、軽快なクリック感を得ることができる。操作ボタンを押圧する位置を特に意識しなくとも、言い換えればどの位置を押そうとも、クリック感の優れた操作器となる。
【発明を実施するための最良の形態】
【０００９】
本発明の操作器の一例として、マッサージ機の操作に使用されるものを説明する。図１は操作器１の正面図、図２は操作器１の表面に貼られた操作パネル２を除去した平面図、図３は図２のＡ−Ａ線に沿う断面図である（但し操作パネル２は装着した状態である）。操作器１は、合成樹脂製の上ケース３と、下ケース４と、これら上下ケース３、４で構成されるボックス５内に収納されるプリント基板６と、プリント基板６上に取り付けられる多数のLED７とタクトスイッチ８等で構成される。上下のケース３、４は適宜ネジ止め９される。多数のタクトスイッチ８と対向する上ケース３には、スイッチ作動体１０が多数一体に形成される。またＬＥＤ７と対向する上ケース３には、ＬＥＤ７の光を操作パネル２を介して外部に照射するための透孔１１が多数設けられている。操作器１はコード２０を介してマッサージ機本体（図示せず」へ接続されている。
【００１０】
スイッチ作動体１０は、その一端部が上ケース３に一体に連結され、この連結部は薄肉ヒンジ１２となっている。スイッチ作動体１０の他端部側には、平面視円形の操作ボタン１３が形成されている。操作ボタン１３の裏側には、タクトスイッチ８の作動凸部１４と対向するように操作部１５が突設されている。上ケース３上には、薄い操作パネル２が添着されており、操作パネル２には、各タクトスイッチ８と対向して、各タクトスイッチ８の役割を表示するよう印刷が施されている。例えば、図３において、タクトスイッチ（８−１）は「たたきもみ」マッサージを行うためのスイッチであり、タクトスイッチ（８−２）は、上半身コースの自動マッサージを行わせるスイッチである。
【００１１】
操作ボタン１３を操作パネル２を介して指Fで上から押すと、一端部の薄肉ヒンジ１２を支点にスイッチ作動体１０が回動して、操作部１５がタクトスイッチ８の作動凸部１４を押し、スイッチ８を閉じる。操作ボタン１３から指を離すとスイッチ８は開く。
ここで操作ボタン１３の上面において、薄肉ヒンジ１２側とその反対側とで高さが図５のように同じであると、上述の如く、操作ボタン１３を指Fで押圧した場合に、図６に示すように、操作部１５はスイッチ８の作動凸部１４を水平に押さずに斜めに押し、スイッチ８を操作するときのカチッという軽快なクリック感を得ることができない。
【００１２】
そこで本発明では、図２や図４に示すように、操作ボタン１３の上面の薄肉ヒンジ１２側とその反対側とで、高さを異ならせ、薄肉ヒンジ１２側の高さを一段高く１６している。図２では、高くなった部分を黒塗りで示している。
【００１３】
このような構成にすることにより、操作ボタン１３を上から押す場合、意識しなくとも自然と一段高くなった部分１６に指が触れ、この結果、操作ボタン１３を押す力は操作ボタン１３の薄肉ヒンジ１２側に加わり、操作ボタン裏面の操作部１５がほぼ水平にスイッチ８の作動凸部１４を押すことができるようになる。その結果、カチッという軽快なクリック感が得られる。
【００１４】
このように本発明の構成によると、特に操作ボタン１３を押す位置に特別に注意を払わなくとも、自然と操作ボタン１３の薄肉ヒンジ側に力が加わるようになっており、クリック感を良好にすることができ、高級感を得ることができる。
【００１５】
以上の実施例では、操作器としてマッサージ機を遠隔操作できるものについて示したが、マッサージ機本体に据え付けられた操作器でもよく、またマッサージ機以外のすべての電気製品を操作する操作器に適用できるものである。
【００１６】
またスイッチ作動体１０を上ケース３に一体に連結したが、操作器の種類によっては、上ケースでなくともよく、要は、スイッチ作動体は何らかのプレート（支持プレート）に連結されていればよい。
【図面の簡単な説明】
【００１７】
【図１】本発明の操作器の正面図である。
【図２】同操作器の操作パネルを取り除いた状態の正面図である。
【図３】同操作器の図２のＡ-Ａ線に基づく断面図である。
【図４】同操作器の図３の２点鎖線で示した円内拡大図で、指で操作ボタンを押した状態を示す。
【図５】従来の操作器の指で操作ボタンを押す前の断面図である。
【図６】従来の操作器の指で操作ボタンを押した状態を示す断面図である。
【符号の説明】
【００１８】
３    上ケース（支持プレート）
１２  薄肉ヒンジ
１３  操作ボタン
１０  スイッチ作動体
１５  操作部
８    タクトスイッチ（スイッチ）
１４  作動凸部
１６  操作ボタン上面の一端部側
【図１】
2006221826.tif 000003
【図２】
2006221826.tif 000004
【図３】
2006221826.tif 000005
【図４】
2006221826.tif 000006
【図５】
2006221826.tif 000007
【図６】
2006221826.tif 000008